(57)【要約】１つの方法は、オープンスペクトル（４０９）の時間制限されたチャネルアクセスインターバル（４０５）において、少なくとも１つの同期信号バースト（１５０）を端末（１０１）に送信することを含む。この方法は更に、オープンスペクトル（４０９）のチャネルアクセスインターバル（４０５）において、少なくとも１つのページング信号（４００４、４００５）を端末（１０１）に送信することを含む。【特許請求の範囲】
【請求項１】
基地局（１１２）を動作させる方法であって、
オープンスペクトル（４０９）の時間制限されたチャネルアクセスインターバル（４０５）において、少なくとも１つの同期信号バースト（１５０）を端末（１０１）に送信することと、
オープンスペクトル（４０９）のチャネルアクセスインターバル（４０５）において少なくとも１つのページング信号（４００４、４００５）を前記端末（１０１）に送信することを含む方法。
【請求項２】
端末（１０１）を操作する方法であって、
オープンスペクトル（４０９）において少なくとも１つの同期信号バースト（１５０）についての第１の受信試行（４７１）を実施することと、
前記オープンスペクトル（４０９）において少なくとも１つのページング信号（４００４、４００５）についての第２の受信試行（４７２）を実施することを含み、
ここで、前記第１の受信試行（４７１）および前記第２の受信試行は、前記オープンスペクトル（４０９）の共通の時間制限されたチャネルアクセスインターバル（４０５）において実施される方法。
【請求項３】
更に、
前記第１の受信試行（４７１）の第１の結果に応じて、前記少なくとも１つの同期信号バースト（１５０）についての更なる第１の受信試行（４７１）および少なくとも１つのページング信号（４００４、４００５）についての更なる第２の受信試行（４７２）のために、バックオフ（４７０）を選択的にアクティブ化することを含む請求項２に記載の方法。
【請求項４】
前記第１の受信試行（４７１）および前記第２の受信試行（４７２）は、前記端末（１０１）の不連続受信サイクル（３７０）のタイミングスケジュール（３７５、３７５−１）に従って実施され、
前記方法は更に、
前記第１の結果に応じまた前記第２の結果に応じて、前記不連続受信サイクル（３７０）のオフ期間（３７２）を選択的にアクティブ化することを含む請求項３に記載の方法。
【請求項５】
少なくとも前記第１の受信試行（４７１）が成功し、且つ前記第２の受信試行が失敗した場合に、前記オフ期間（３７２）がアクティブ化される、請求項４に記載の方法。
【請求項６】
前記第１の受信試行（４７１）が失敗した場合には、前記バックオフ（４７０）がアクティブ化され、
前記第１の受信試行（４７１）が成功した場合には、前記バックオフ（４７０）はアクティブ化されない、請求項３〜５の何れか１項に記載の方法。
【請求項７】
前記バックオフ（４７０）がバックオフタイマーを起動することを含む、請求項３〜６の何れか１項に記載の方法。
【請求項８】
前記第１の受信試行（４７１）および前記第２の受信試行（４７２）は、前記端末（１０１）の不連続受信サイクル（３７０）のタイミングスケジュール（３７５、３７５−１）に従って実施され、
前記バックオフ（４７０）は、前記不連続受信サイクル（３７０）の更なるタイミングスケジュール（３７５−２）をアクティブ化することを含み、前記不連続受信サイクル（３７０）は前記タイミングスケジュール（３７５、３７５−１）と比較してより短いオフ期間（３７２）を含む、請求項３〜７の何れか１項に記載の方法。
【請求項９】
前記少なくとも１つの同期信号バースト（１５０）は複数の同期信号バーストを含み、
前記複数の同期信号バースト（１５０）は、周波数分割多重化を使用して送信される、請求項１〜８の何れか１項に記載の方法。
【請求項１０】
更に、
前記チャネルアクセスインターバルの持続時間（４０５）を決定することと、
前記チャネルアクセスインターバルの持続時間（４０５）の決定に基づいて、前記周波数分割多重化の周波数再利用係数を選択することを含む、請求項９に記載の方法。
【請求項１１】
前記少なくとも１つの同期信号バースト（１５０）は、前記オープンスペクトル（４０９）の第１の帯域幅（４５１）を使用する前記チャネルアクセスインターバル（４０５）の第１の部分（４１１）で送信され、
前記少なくとも１つのページング信号（４００４、４００５）は、前記第１の帯域幅（４５１）とは異なる前記オープンスペクトル（４０９）の第２の帯域幅（４５２）を使用する前記チャネルアクセスインターバル（４０５）の第２の部分（４１２）で送信され、
前記第２の部分（４１２）は、前記第１の部分（４１１）の後に送信される、請求項１〜１０の何れか１項に記載の方法。
【請求項１２】
前記少なくとも１つの同期信号バースト（１５０）は、前記オープンスペクトル（４０９）の第１の帯域幅（４５１）を使用して送信され、
当該方法は更に、
前記オープンスペクトル（４０９）の更なる帯域幅（４５３）を使用して、少なくとも１つの更なる同期信号バースト（１５０Ａ）を前記端末（１０１）に送信することを含み、
前記更なる帯域幅（４５３）は、前記第１の帯域幅（４５１）よりも小さい、請求項１〜１１の何れか１項に記載の方法。
【請求項１３】
前記少なくとも１つのページング信号（４００４、４００５）は、複数のページング信号（４００４、４００５）を含み、
前記複数のページング信号（４００４、４００５）は、周波数分割多重化および時分割多重化のうちの少なくとも１つを使用して送信される、請求項１〜１２の何れか１項に記載の方法。
【請求項１４】
前記少なくとも１つのページング信号（４００４、４００５）は、ページングインジケータ（４００４）を含み、
前記少なくとも１つのページング信号（４００４、４００５）は、任意に、ページングインジケータ（４００４）に関連付けられ、且つ前記ページングインジケータ（４００４）の後に送信されるページングメッセージ（４００５）を含む、請求項１〜１３の何れか１項に記載の方法。
【請求項１５】
前記少なくとも１つの同期信号バースト（１５０）および前記少なくとも１つのページング信号（４００４、４００５）は、前記端末（１０１）の不連続受信サイクル（３７０）のタイミングスケジュール（３７５、３７５−１）に従って送信される、請求項１〜１４の何れか１項に記載の方法。
【請求項１６】
前記少なくとも１つの同期信号バースト（１５０）および前記少なくとも１つのページング信号（４００４、４００５）は、隣接する時間−周波数リソースで送信される、請求項１〜１５の何れか１項に記載の方法。
【請求項１７】
制御回路（１１２１、１１２５）を備えた基地局（１１２）であって、前記制御回路は、
オープンスペクトル（４０９）の時間制限付きチャネルアクセスインターバル（４０５）において、少なくとも１つの同期信号バースト（１５０）を端末（１０１）に送信し、
前記オープンスペクトル（４０９）の前記チャネルアクセスインターバル（４０５）において、少なくとも１つのページング信号（４００４、４００５）を前記端末（１０１）に送信するように設定された、基地局（１１２）。
【請求項１８】
前記制御回路は、請求項１および請求項９〜１６の何れか１つの前記方法を実行するように設定される、請求項１７に記載の基地局（１１２）。
【請求項１９】
制御回路（１０１１、１０１５）を含む端末（１０１）であって、前記制御回路は、
オープンスペクトル（４０９）において少なくとも１つの同期信号バースト（１５０）についての第１の受信試行（４７１）を実施し、
前記オープンスペクトル（４０９）において少なくとも１つのページング信号（４００４、４００５）についての第２の受信試行（４７２）を実施するように設定され、
前記第１の受信試行（４７１）および前記第２の受信試行は、前記オープンスペクトル（４０９）の共通の時間制限されたチャネルアクセスインターバル（４０５）において実施される、端末（１０１）。
【請求項２０】
前記制御回路（１０１１、１０１５）は、請求項２〜１６の何れか１つの方法を実行するように設定される、請求項１９に記載の端末（１０１）。
【発明の詳細な説明】
【技術分野】
【０００１】
本発明の種々の実施例は、一般に、オープンスペクトルで通信されるページング信号を用いた端末のページングに関する。この点に関して、種々の実施例が、オープンスペクトルアクセス戦略に具体的に関連している。
【背景技術】
【０００２】
効率的なスペクトルの使用および高いデータレートを容易にするために、ライセンスのない帯域での無線通信が可能である。無認可の帯域がオープンスペクトルに存在する可能性がある。複数の事業者またはネットワークが、オープンスペクトルへのアクセスを共有する可能性がある。換言すれば、オープンスペクトルへのアクセスは、単一の事業者またはネットワークに制限されない場合があり得る。典型的には、オープンスペクトルでの無線通信には、複数のネットワークが同じスペクトルを共有できることに起因して、手順および制限が伴う場合がある。このような技術はクリアチャネル評価技術、例えばキャリアセンス多重アクセス／衝突回避（Carrier  Sense  Multiple  Access/Collision  Avoidance：ＣＳＭＡ／ＣＡ）とも称される。複数のネットワークが同じスペクトルを共有できることを保証する他の技術には、時間単位当たりの送信の最大パーセンテージの制限（送信デューティサイクルの制限）、最大送信出力電力の制限、および送信当たりの最大チャネル占有時間の制限が含まれるが、これらに限定されない。必要とされる技術は、オープンスペクトルの規制要件に応じて異なり得るものであり、この要件は、特定の周波数スペクトルや、デバイスの地理的場所に応じて異なる可能性がある。この説明全体を通して、オープンスペクトルに対する多重アクセス制限に起因して課される必要な技術を実行するためのこのような手順は、リッスン・ビフォア・トーク（Listen-Before-Talk：ＬＢＴ）手順として記述される。
【０００３】
複数のネットワークがスペクトルを共有するために必要な技術を考慮して、オープンスペクトルを介した送信を企画するＬＢＴ手順を実行するときに、ネットワークノードがＬＢＴ手順を介して、現時点では意図する時間に目的の受信機と通信できないとの結論を下すことがあり得る。ネットワークノードは、オープンスペクトルの共有に関連する送信規制によって制限される可能性があり、我々はこの送信の失敗をＬＢＴ障害と呼ぶこととする。ＬＢＴ障害が発生したとき、送信者は、共有技術により課された制限によって通信が制限されなくなるまで、待機する必要があり得る。このような待機は、タイマー、または上記の特定の例のように制限パラメーターの評価を課す場合がある。この説明全体を通して、このような待機はバックオフ手順と称される。したがって、ＬＢＴ手順が失敗すると、通信遅延が発生する可能性がある。
【０００４】
一方、無線通信では、エネルギー消費を制限するためのアイドルモード動作が知られている。この場合、端末（ＵＥ）は、ネットワークとのアクティブなデータ接続を維持しない。ＵＥに到達するためには、ページングが使用される。ページングは、典型的にはページングインジケータおよびページングメッセージを含んだ１つまたは複数のページング信号の通信を含む。典型的には、ページングはＵＥがアイドルモードで動作している間に実行される。ＵＥのモデムの受信機は、アイドルモードでページング信号を選択的に受信するように設定することができる。
【０００５】
オープンスペクトルで１つ以上のページング信号を通信するときは、ＵＥのページングの待ち時間が大幅に増加し得ることが認められている。上述したように、これは、ＵＥの不連続受信（Discontinuous  Reception：ＤＲＸ）に関連して起こり得るＬＢＴ障害、および関連のバックオフ手順の故に、意図した時間にページング信号を送信できないネットワークノードに起因し得る。
【発明の概要】
【発明が解決しようとする課題】
【０００６】
したがって、ＵＥのページングのためにオープンスペクトルにアクセスする高度な技術についてのニーズが存在する。具体的には、上記で特定された制限および欠点の少なくとも幾つかを克服または軽減する技術についてのニーズが存在する。
【０００７】
このニーズは、独立請求項の特徴によって満たされる。従属請求項の特徴は、実施形態を定義する。
【課題を解決するための手段】
【０００８】
１つの方法は、オープンスペクトルの時間制限されたチャネルアクセスインターバルにおいて、少なくとも１つの同期信号（Synchronization  Signal：ＳＳ）バーストを送信することを含む。この少なくとも１つのＳＳバーストは端末へと送信される。当該方法はまた、オープンスペクトルのチャネルアクセスインターバルにおいて、少なくとも１つのページング信号を送信することを含む。この少なくとも１つのページング信号は、ＵＥに送信される。
【０００９】
ときには、ＳＳバーストはＳＳブロックとも称される。
【００１０】
１つの方法は、オープンスペクトルの時間制限されたチャネルアクセスインターバルにおいて、少なくとも１つのＳＳバーストを受信することを含む。この少なくとも１つのＳＳバーストは、ＢＳから受信される。この方法はまた、オープンスペクトルのチャネルアクセスインターバルにおいて、少なくとも１つのページング信号を受信することを含む。この少なくとも１つのページング信号は、前記ＢＳから受信される。
【００１１】
端末を操作する方法には、第１の受信試行を実施することが含まれる。この第１の受信試行は、オープンスペクトルで行われる。この第１の受信試行は、少なくとも１つの同期信号バーストについてのものである。この方法にはまた、第２の受信試行を実施することも含まれる。この第２の受信試行は、オープンスペクトルで行われる。この第２の受信試行は、少なくとも１つのページング信号についてのものである。第１の受信試行および第２の受信試行は、オープンスペクトルの共通の時間制限付きチャネルアクセスインターバルにおいて実施される。
【００１２】
ある方法は、オープンスペクトルの時間制限されたチャネルアクセスインターバルにおいて、少なくとも１つのＳＳを送信および／または受信（通信）することを含んでいる。この少なくとも１つのＳＳバーストは、基地局（Base  Station：ＢＳ）からＵＥへと通信される。この方法にはまた、オープンスペクトルのチャネルアクセスインターバルにおいて、少なくとも１つのページング信号を通信することも含まれる。この少なくとも１つのページング信号は、ＢＳからＵＥへと通信される。
【００１３】
コンピュータプログラム製品またはコンピュータプログラムは、プログラムコードを含んでいる。このプログラムコードは、少なくとも１つのプロセッサによって実行することができる。プログラムコードを実行すると、前記少なくともプロセッサが当該方法を実行する。この方法は、オープンスペクトルの時間制限されたチャネルアクセスインターバルにおいて、少なくとも１つのＳＳバーストを送信することを含んでいる。この少なくとも１つのＳＳバーストは端末に送信される。当該方法はまた、オープンスペクトルのチャネルアクセスインターバルにおいて、少なくとも１つのページング信号を送信することを含んでいる。この少なくとも１つのページング信号は、ＵＥに送信される。
【００１４】
コンピュータプログラム製品またはコンピュータプログラムは、プログラムコードを含んでいる。このプログラムコードは、少なくとも１つのプロセッサによって実行できる。プログラムコードを実行すると、少なくとも１つのプロセッサが当該方法を実行する。当該方法は、オープンスペクトルの時間制限されたチャネルアクセスインターバルにおいて、少なくとも１つのＳＳバーストを受信することを含む。この少なくとも１つのＳＳバーストはＢＳから受信される。当該方法はまた、オープンスペクトルのチャネルアクセスインターバルにおいて、少なくとも１つのページング信号を受信することを含んでいる。この少なくとも１つのページング信号はＢＳから受信される。
【００１５】
コンピュータプログラム製品またはコンピュータプログラムは、プログラムコードを含んでいる。このプログラムコードは、少なくとも１つのプロセッサによって実行できる。プログラムコードを実行すると、この少なくとも１つのプロセッサが当該方法を実行する。当該方法は、第１の受信試行を実施することを含む。この第１の受信試行は、オープンスペクトルで行われる。第１の受信試行は、少なくとも１つの同期信号バーストについてのものである。当該方法はまた、第２の受信試行を実施することも含む。この第２の受信試行は、オープンスペクトルで行われる。第２の受信試行は、少なくとも１つのページング信号についてのものである。これら第１の受信試行および第２の受信試行は、オープンスペクトルの共通の時間制限付きチャネルアクセスインターバルにおいて実施される。
【００１６】
コンピュータプログラム製品またはコンピュータプログラムは、プログラムコードを含んでいる。このプログラムコードは、少なくとも１つのプロセッサによって実行できる。プログラムコードを実行すると、少なくとも１つのプロセッサが当該方法を実行する。当該方法は、オープンスペクトルの時間制限されたチャネルアクセスインターバルにおいて、少なくとも１つのＳＳバーストを送信および／または受信（通信）することを含む。この少なくとも１つのＳＳバーストは、ＢＳからＵＥへと通信される。当該方法はまた、オープンスペクトルのチャネルアクセスインターバルにおいて、少なくとも１つのページング信号を通信することを含む。この少なくとも１つのページング信号は、ＢＳからＵＥへと通信される。
【００１７】
基地局は制御回路を含んでいる。この制御回路は、１つの方法を実行するように設定される。当該方法は、オープンスペクトルの時間制限されたチャネルアクセスインターバルにおいて、少なくとも１つのＳＳバーストを送信することを含む。この少なくとも１つのＳＳバーストは端末へと送信される。当該方法はまた、オープンスペクトルのチャネルアクセスインターバルにおいて、少なくとも１つのページング信号を送信することを含む。この少なくとも１つのページング信号は、ＵＥへと送信される。
【００１８】
端末には制御回路が含まれている。この制御回路は、オープンスペクトルの時間制限されたチャネルアクセスインターバルにおいて、少なくとも１つのＳＳバーストを受信するように設定される。この少なくとも１つのＳＳバーストは、ＢＳから受信される。制御回路はまた、オープンスペクトルのチャネルアクセスインターバルにおいて、少なくとも１つのページング信号を受信するように設定される。この少なくとも１つのページング信号は、ＢＳから受信される。
【００１９】
端末には制御回路が含まれている。この制御回路は、オープンスペクトルにおいて少なくとも１つのＳＳバーストについての第１の受信試行を実施するように設定されている。また、オープンスペクトルにおいて少なくとも１つのページング信号についての第２の受信試行を実施する。これら第１の受信試行および第２の受信試行は、オープンスペクトルの共通の時間制限されたチャネルアクセスインターバルにおいて実施される。
【００２０】
端末を操作する方法は、端末の不連続受信サイクルのタイミングスケジュールに従って、第１の受信試行を実施することを含んでいる。この第１の受信試行は、オープンスペクトルで基地局によって送信された少なくとも１つの基準信号についてのものである。当該方法は、タイミングスケジュールに従って第２の受信試行を実施することも含んでいる。この第２の受信試行は、オープンスペクトルにおいて基地局により送信された少なくとも１つのページング信号についてのものである。当該方法はまた、第１の受信試行の第１の結果に応じて、少なくとも１つのＳＳバーストについての更なる第１の受信試行、および少なくとも１つのページング信号についての更なる第２の受信試行のために、バックオフを選択的にアクティブ化することを含んでいる。
【００２１】
コンピュータプログラム製品またはコンピュータプログラムは、プログラムコードを含んでいる。このプログラムコードは、少なくとも１つのプロセッサによって実行することができる。プログラムコードを実行することにより、この少なくとも１つのプロセッサは、端末を動作させる方法を実行する。当該方法は、端末の不連続受信サイクルのタイミングスケジュールに従って、第１の受信試行を実施することを含む。この第１の受信試行は、オープンスペクトルで基地局により送信された少なくとも１つの基準信号についてのものである。当該方法はまた、タイミングスケジュールに従って、第２の受信試行を実施することをも含む。この第２の受信試行は、オープンスペクトルで基地局によって送信された少なくとも１つのページング信号についてのものである。当該方法はまた、第１の受信試行の第１の結果に応じて、少なくとも１つの基準信号についての更なる第１の受信試行、および少なくとも１つのページング信号についての更なる第２の受信試行のために、バックオフを選択的に起動することを含む。
【００２２】
端末には制御回路が含まれる。制御回路は、端末の不連続受信サイクルのタイミングスケジュールに従って、第１の受信試行を実施するように設定される。第１の受信試行は、オープンスペクトルにおいて基地局によって送信された、少なくとも１つの基準信号についてのものである。当該方法はまた、タイミングスケジュールに従って、第２の受信試行を実施することも含んでいる。この第２の受信試行は、オープンスペクトルにおいて基地局により送信された少なくとも１つのページング信号についてのものである。当該方法はまた、第１の受信試行の第１の結果に応じて、少なくとも１つの基準信号についての更なる第１の受信試行、および少なくとも１つのページング信号についての更なる第２の受信試行のために、バックオフを選択的に起動することを含む。
【００２３】
例えば、基準信号は、基地局のブロードキャスト信号、ＳＳまたはＳＳバースト、および／または基地局によって送信される可変信号の固定プリアンブル等を含むことができる。別の実装には、チャネルサウンディング信号またはＤＬパイロット信号等が含まれる。
【００２４】
１つの方法は、オープンスペクトルの時間制限されたチャネルアクセスインターバルにおいて、少なくとも１つのＳＳを通信することを含む。この少なくとも１つのＳＳバーストは、ＢＳからＵＥへと通信される。当該方法はまた、オープンスペクトルのチャネルアクセスインターバルにおいて、少なくとも１つのネットワークアクセス信号を通信することを含む。この少なくとも１つのネットワークアクセス信号は、ＢＳからＵＥへ、および／またはＵＥからＢＳへと通信される。
【００２５】
少なくとも１つのネットワークアクセス信号は、ＢＳのネットワークへのＵＥの接続を容易にすることができる。例えば、少なくとも１つのネットワークアクセス信号は、ＵＥとＢＳの間のデータ接続、例えばレイヤ３ベアラなどのセットアップを容易にすることができる。例えば、少なくとも１つのネットワークアクセス信号は、ＵＥのアイドル動作モードからＵＥの接続動作モードへの移行を容易にすることができる。少なくとも１つのネットワークアクセス信号は、下記のうち少なくとも１つを含むことができる。
すなわち、
ランダムアクセス（Random  Access：ＲＡ）手順のＲＡメッセージ
ＵＬのＲＡメッセージ１で送信されるＲＡプリアンブル
例えば、ＵＬのＲＡメッセージ１に応答するためであってＵＥの暫定アイデンティティを含む、ＤＬのＲＡメッセージ２
レイヤ３データ接続のセットアップなどのための、ＵＬのＲＡメッセージ３
例えば、ＵＬのＲＡメッセージ３に応答するための、ＤＬのＲＡメッセージ４
のうちの少なくとも１つである。
【００２６】
例えば、２ステップまたは４ステップのＲＡ手順を使用することができる。
【００２７】
少なくとも１つのＳＳおよび少なくとも１つのネットワークアクセス信号を、共通チャネルアクセスインターバルに連結することによって、より短い持続時間、例えばより少ないＬＢＴ試行内においてネットワークアクセスを完結させることが可能になり得る。
【００２８】
ＵＥには制御回路が含まれている。この制御回路は、オープンスペクトルの時間制限されたチャネルアクセスインターバルにおいて、で少なくとも１つのＳＳを受信するように設定される。この少なくとも１つのＳＳバーストは、ＢＳからＵＥへと通信される。制御回路はまた、オープンスペクトルのチャネルアクセスインターバルにおいて、少なくとも１つのネットワークアクセス信号を通信するように設定される。この少なくとも１つのネットワークアクセス信号は、ＢＳからＵＥへ、および／またはＵＥからＢＳへと通信される。
【００２９】
ＢＳには制御回路が含まれている。この制御回路は、オープンスペクトルの時間制限されたチャネルアクセスインターバルにおいて、少なくとも１つのＳＳを送信するように設定されている。この少なくとも１つのＳＳバーストは、ＢＳからＵＥへと通信される。制御回路はまた、オープンスペクトルでのチャネルアクセスインターバルにおいて、少なくとも１つのネットワークアクセス信号を通信するように設定される。この少なくとも１つのネットワークアクセス信号は、ＢＳからＵＥへ、および／またはＵＥからＢＳへと通信される。
【００３０】
上述の特徴および以下で更に説明する特徴は、示されたそれぞれの組み合わせだけでなく、本発明の範囲を逸脱することなく、他の組み合わせまたは単独で使用され得ることが理解されるべきである。
【図面の簡単な説明】
【００３１】
【図１】図１は、様々な実施例によるネットワークを概略的に示しており、当該ネットワークはＢＳおよびＵＥを含んでいる。
【図２】図２は、様々な実施例に従って、ＢＳおよびＵＥを概略的に且つより詳細に示す。
【図３】図３は、様々な実施例によるセルラーネットワークとしてのネットワークの例示的な実装を概略的に示す。
【図４】図４は、様々な実施例に従った、ＵＥの複数の動作モードを概略的に示す。
【図５】図５は、様々な実施例に従い、動作モードに関連付けられ且つＤＲＸサイクルに従ってアクティブ化されたＵＥの受信機状態を概略的に示す。
【図６】図６は、様々な実施例に従った、ＵＥのページングを示すシグナリング図である。
【図７】図７は、様々な実施例に従った、オープンスペクトルでの通信についての図６のページングの詳細を示す。
【図８】図８は、様々な実施例に従った、ＳＳバーストおよびページング信号のための時間−周波数リソース割り当てを概略的に示す。
【図９】図９は、様々な実施例に従った、ＳＳバーストおよびページング信号のための時間−周波数リソース割り当てを概略的に示す。
【図１０】図１０は、様々な実施例に従った、ＳＳバーストおよびページング信号のための時間−周波数リソース割り当てを概略的に示す。
【図１１】図１１は、様々な実施例によるＵＥの受信試行を概略的に示す。
【図１２】図１２は、様々な実施例によるＵＥの受信試行を概略的に示す。
【図１３】図１３は、様々な実施例によるＵＥの受信試行を概略的に示す。
【図１４】図１４は、様々な実施例に従った方法のフローチャートである。
【図１５】図１５は、様々な実施例に従った方法のフローチャートである。
【図１６】図１６は、様々な実施例に従った方法のフローチャートである。
【実施形態の詳細な説明】
【００３２】
以下、本発明の実施の形態について、添付図面を参照して詳細に説明する。以下の実施形態の説明は、限定的な意味で解釈されるべきではないことを理解されたい。本発明の範囲は、以下に説明される実施形態または図面によって限定されることを意図するものではなく、それらは例示のみとして解釈されるべきである。
【００３３】
図面は、概略図と見なされるべきであり、また図面に示される要素は、必ずしも一定の縮尺で示されている訳ではない。むしろ、様々な要素は、それらの機能および一般的な目的が当業者に明らかになるように表されている。図面に示され、または本明細書で説明された機能ブロック、デバイス、コンポーネント、または他の物理的または機能的ユニット間の任意の接続または結合はまた、間接的な接続または結合によっても実装され得る。コンポーネント間の結合はまた、無線接続を介して確立することもできる。機能ブロックは、ハードウェア、ファームウェア、ソフトウェア、またはそれらの組み合わせにおいて実装され得る。様々な図面における同じ参照符号は、類似または同一のコンポーネント、機能、または動作を参照する。
【００３４】
以下では、無線通信の技術について説明する。詳細には、オープンスペクトルでの無線通信を可能にする技術が説明される。ここでは、時間−周波数リソースは、典型的には集中的にスケジュールされない。したがって、ＬＢＴおよびバックオフは、オープンスペクトルへの同時アクセスを試みる複数のデバイス間の衝突を回避するために、送信試行が失敗した場合に使用される。
【００３５】
アイドルモードでのＵＥの動作を容易にする技術を説明する。アイドルモードでは、データ接続は維持されない。これは、ＵＥのエネルギー消費を削減するために役立つ。これは、中でも典型的には、バッテリ容量が限定されるマシンタイプコミュニケーション（Machine  Type  Communication：ＭＴＣ）またはモノのインターネット（Internet  of  Things：ＩｏＴ）のデバイスに役立つ。他のデバイスもまた、アイドルモードでの動作から恩恵を受ける可能性がある。アイドルモードにおいて、ＵＥは、典型的にはそれぞれのタイミングスケジュールに従い、オフ期間およびオン期間を含むＤＲＸサイクルを使用して動作できる。オフ期間中、ＵＥのインターフェースにおける受信機は、非アクティブ状態であり得る。この受信機は、如何なるデータの受信にも適さない可能性がある。これにより、消費エネルギーを削減することができる。オン期間はページング機会（Paging  Occasion：ＰＯ）と相関しており、その間、当該受信機はページング信号を受信するのに適したアクティブな状態で動作している。
【００３６】
詳細に言えば、様々な例に従い、オープンスペクトルにおいて通信されるページング信号を使用して、アイドルモードにあるＵＥのページングを容易にする技術が説明される。ページングを成功させるためには、典型的は３つの信号を送信することが必要とされる。第１は、１つ以上のＳＳ、例えばＳＳバーストである。第２にはページングインジケータ、第３はページングメッセージである。以下では、ページングインジケータおよびページングメッセージの両方を含むページング信号を参照する。各ＳＳバーストには複数のＳＳブロックが含まれる場合がある。各ＳＳブロックは複数のＳＳ、例えば、プライマリＳＳ（Primary  SS：ＰＳＳ）、セカンダリＳＳ（Secondary  SS：ＳＳＳ）、物理ブロードキャストチャネル復調基準信号（Physical  Broadcast  Channel  Demodulation  Reference  Signal：ＰＢＣＨ−ＤＭＲＳ）などの異なる種類のＳＳを含み得る。
【００３７】
様々な技術は、このようなシナリオにおいて、オープンスペクトル上でのＳＳバーストおよびページング信号の通信が困難になり得るとの発見に基づいている。すなわち、基準実装によれば、３つの信号を全て配信できる前に、ＬＢＴを含む３つの送信試行を成功させることが必要とされる。この３つの送信試行の何れか１つが失敗すれば、それぞれのバックオフが原因でページングが遅延する。特に、ＵＥのＤＲＸ動作と組み合わせてＬＢＴ関連の遅延（例えば、バックオフ手順による）を考慮に入れたＰＯを定義することは一般に可能であるが、送信試行の失敗による遅延が、ＤＲＸサイクルのタイミングスケジュールの比較的長いオフ期間によって定義されるリスクが存在する。これにより、ページングが大幅に遅延し、例えばＭＴＣまたはＩｏＴについては、最大で数分または数時間に亘る可能性がある。これは、ＰＯが通過してしまい、次のＰＯはＤＲＸサイクルのオフ期間の後にしか来ないことがあり得るからである。
【００３８】
会議ＲＡＮ１＃９０−Ｂｉｓの第３世代パートナーシッププロジェクト（Third  Generation  Partnership  Project：３ＧＰＰ）Ｒ１−１７１５５８２の貢献から、ＬＢＴオーバーヘッドを節約するために複数のＳＳバーストを送信する実装が知られている。ＬＢＴオーバーヘッドの削減により、１回のＰＯ内でＵＥのページングが成功する可能性は増大する。にもかかわらず、１回のＰＯ内でページングが失敗する有意な可能性が生じる。本明細書で説明される技術は、１回のＰＯ内での信頼性のあるページングを容易にする。
様々な実施例によれば、これは、１つまたは複数のＳＳバーストおよび１つまたは複数のページング信号を、オープンスペクトルのチャネルアクセスインターバルに連結することによって達成される。
【００３９】
チャネルアクセスインターバルは、特定のデバイスがオープンスペクトルに継続的にアクセスできる最大時間を制限する場合がある。通常、チャネルアクセスインターバルの開始は、オープンスペクトルでの送信の開始によって決定され、またチャネルアクセスインターバルの終止（ときには最大チャネル占有時間、Maximum  Channel  Occupancy  Time：ＭＣＯＴとも呼ばれる）は、オープンスペクトルのアクセスルール（つまり、規制要件）に応じて、事前設定された最大持続時間によって定義される。チャネルアクセスインターバルの典型的な持続時間は、１０ｍｓ〜１ｓの範囲であることができる。
【００４０】
そのようなアプローチは、ＵＥが同期を取得するためのＳＳ、ならびに１つ以上のページング信号、例えばページングインジケータおよび任意にページングメッセージを送信するための１回の送信試行を容易にする。したがって、ＵＥのページングを完了するには、１回のＬＢＴ手順で十分であり得る。これにより、１回のＰＯ内でのページングが容易になる。
【００４１】
これらの信号をＭＣＯＴに適合させるために、送信を周波数ドメインに拡張することが可能である。例えば、複数の信号の周波数分割複信（Frequency  Division  Duplexing：ＦＤＤ）を使用することができる。例えば、複数のＳＳブロックのＦＤＤまたは複数のＳＳバーストさえも使用することができる。代替的または追加的に、複数のページング信号のＦＤＤ、例えば、ページングインジケータ用のＦＤＤおよびページングメッセージ用のＦＤＤを使用することができる。
【００４２】
通常、必要な情報の量は、ページングインジケータよりもページングメッセージの方が大きくなる可能性があり、同様に、ページングインジケータのために必要な情報の量は、ＳＳバーストの場合よりも大きくなる可能性がある。したがって、帯域幅は、伝達される情報のサイズの増大と共に、ＭＣＯＴの終止に向かって増加する可能性がある。したがって、このＳＳバーストからページング情報までの必要な周波数帯域幅の増加は、したがって非対称のリソースニーズと見なすことができる。なぜなら、周波数ドメインにおいて必要とされる送信リソースは変化し、異なる送信タイプに沿って対称ではないからである。
【００４３】
ＳＳ（例えば、ＳＳバースト）のためにＦＤＤを使用することにより、周波数ダイバーシティを達成することができる。これにより、ＳＳブロードキャストおよびページング送信を組み合わせるための非対称リソースの必要性を低減することができる。これは、オープンスペクトルの効率的占有を補助することができる。
【００４４】
これは、次の発見に基づいている。すなわち、非対称リソースの必要性は、小規模比率の占有された物理的時間−周波数リソース要素またはリソースブロックをもたらす傾向が存在し得る。スケジューリング情報は、複数のリソース要素またはブロック、いわゆるリソースブロックグループ（Resource  Block  Group：ＲＢＧ）についての集合的なアドレス指定スキームに基づいているので、ときには、個々のリソース要素またはリソースブロックをスケジューリングによってアドレス指定することはできない。小規模比率のリソース要素またはブロックが、ＲＢＧと一致しない可能性がある。これは、小規模比率のリソース要素またはブロックを回避する対称リソースの必要性が存在する場合には異なる。
ＦＤＤは、全てのＳＳでアクティブ化する必要はないが、ＰＯと連携したＳＳについて選択的に、すなわち、ＳＳがＰＯ内で通信される場合にはアクティブにする必要がある。次に、更なるＳＳまたはＳＳバーストは、ＰＯ内のＳＳまたはＳＳバーストとインターリーブされることができ、この更なるＳＳまたはＳＳバーストは、より小さな帯域幅を占有する。
【００４５】
そのような技術により、ＵＥは効果的に再同期、すなわち、タイミング同期を再取得することができ、また１回のＰＯ内、すなわち、受信機アクティビティの単一インスタンス内で可能なページングを識別することができる。ＵＥがＳＳバースト送信を検出したならば、それはカバレッジ内シナリオで終結することができる。その後、ＵＥは引き続きページング信号を聞くことができる。次に、もしページングが検出されれば、ＵＥは、当該ＵＥによって実施されたＬＢＴを必要とし得るランダムアクセス（Random  Access：ＲＡ）手順を続行できる。
【００４６】
同時に、ＳＳバーストおよびページング信号の送信のためのＢＳの送信試行の失敗は、ＵＥによって確実に検出され得る。これは、１つ以上のＳＳバーストの非受信による可能性がある。次に、調整されたバックアップ手順は当該ＵＥによって実施できる。
【００４７】
詳細に言うと、ＰＯは典型的には、ネットワークがページング信号を送信することをＵＥが期待する特定の持続時間に関連付けられる。基準実装によれば、ＢＳでのＬＢＴが原因で送信試行が失敗した場合、ネットワークおよびＵＥは次のＰＯを待機する。通常、バックオフ期間はＰＯの持続時間よりも長くなる。ＰＯの周期性はＤＲＸサイクルタイミングスケジュールに関連付けられているため、後続のＰＯ（複数）の間の時間オフセットは、典型的にはオフ期間（すなわち、秒、分、または時間）に対応する。したがって、占有されたオープンスペクトル、すなわち、１つまたは複数の他のデバイスのチャネルアクセスによる送信試行の失敗は、基準実装の遅延に大きな影響を与える可能性がある。一方、単にページングされるＵＥが存在しないという理由だけで、ＢＳがページング信号をまったく送信しないシナリオが考えられる。したがって、ＵＥは対応する信号を受信しない。こうして、実際には、ＢＳは送信する意図がなかったのにも拘わらず、ＵＥが、ＢＳの送信試行が失敗したと誤って想定する可能性がある。これにより、曖昧さが生じ、バックアップ手順の特定の実装によっては、エネルギーが無駄になる可能性がある。
【００４８】
本明細書で説明されるシナリオにおいて、ＵＥは、ＳＳを含む信号がＭＣＯＴ内に存在しないことに基づいて、失敗した送信試行を検出することができる。したがって、ＵＥは、少なくとも１つの基準信号についての第１の受信試行を実施でき、また少なくとも１つのページング信号についての第２の受信試行を実施し得る。基準信号は、送信試行が成功した場合に、ＵＥがＢＳによって送信されると予測する任意の信号であり得る。例えば、ＳＳまたはＳＳバーストは、基準信号の実装であり得る。別の実装には、チャネルサウンディング信号またはＤＬパイロット信号などが含まれる。次に、第１の受信試行および第２の受信試行の結果に応じて、異なるバックアップ手順が採用され得る。一例において、ＵＥは、第１の受信試行の結果に基づいて失敗した送信試行を決定することに応答して、バックオフをアクティブ化することができる。これには、例えば、ＤＲＸサイクルのより短いオフ期間、または次のＰＯまで受信機をアクティブ状態に保つことさえが含まれ得る。
【００４９】
図１は、本明細書で開示される技術から利益を得ることができる無線通信ネットワーク１００を概略的に示す。このネットワークは、３Ｇ、４Ｇ−ＬＴＥ、または今後の５Ｇ−ＮＲのような３ＧＰＰ標準化ネットワークであり得る。他の例としては、米国電気電子技術者協会（Institute  of  Electrical  and  Electronics  Engineers：ＩＥＥＥ）が指定したネットワークなどのポイントツーポイントネットワーク、例えば８０２．１１ｘ  Ｗｉ−ＦｉプロトコルまたはＢｌｕｅｔｏｏｔｈ（登録商標）プロトコルが含まれる。更なる例には、モノの３ＧＰＰナローバンドインターネット（Narrowband  Internet  of  Things：ＮＢ−ＩｏＴ、または拡張マシンタイプコミュニケーション（Enhanced  Machine  Type  Communication：ｅＭＴＣ）ネットワークが含まれる。
【００５０】
ネットワーク１００は、ＢＳ１１２およびＵＥ１０１を含む。無線リンク１１４が、ＢＳ１１２とＵＥ１０１の間に確立される。無線リンク１１４は、ＢＳ１１２からＵＥ１０１へのＤＬリンクを含み、更にまた、ＵＥ１０１からＢＳ１１２へのＵＬリンクを含む。ＵＬとＤＬ間の干渉を緩和するために、時分割複信（Time-Division  Duplexing：ＴＤＤ）、周波数分割複信（Frequency-Division  Duplexing：ＦＤＤ）、空間分割複信（Space-Division  Duplexing：ＳＤＤ）、および／またはコード分割複信（Code-Division  Duplexing：ＣＤＤ）を用いることができる。同様に、ＴＤＤ、ＦＤＤ、ＳＤＤ、および／またはＣＤＤは、無線リンク１１４上で通信する複数のＵＥ（図１には示されていない）間の干渉を緩和するために使用することができる。
【００５１】
ＵＥ１０１は、例えば次の何れかであることができる。すなわち、スマートフォン、携帯電話、タブレット、ノート、コンピュータ、スマートテレビ、ＭＴＣデバイス、ｅＭＴＣデバイス、ＩｏＴデバイス、ＮＢ−ｌｏＴデバイス、センサー、アクチュエータ等である。
【００５２】
図２は、ＢＳ１１２およびＵＥ１０１を概略的に、且つより詳細に示す。
【００５３】
ＢＳ１１２は、プロセッサ（ＣＰＵ）１１２１、およびフロントエンドと呼ばれることもあるインターフェース（Interface：ＩＦ）１１２２を含む。ＩＦ１１２２は、受信機および送信機を含む。ＢＳ１１２は更に、メモリ（Memory：ＭＥＭ）１１２５、例えば、不揮発性メモリを含む。当該メモリは、プロセッサ１１２１によって実行され得るプログラムコードを格納できる。したがって、プロセッサ１１２１およびメモリ１１２５は制御回路を形成する。プログラムコードを実行すると、プロセッサ１１２１は、ＬＢＴ動作を含むオープンスペクトルでの送信、オープンスペクトルでの送信試行の実施、バックオフの実施、ＳＳの送信、ページング信号の送信等に関する技術を実行する。
【００５４】
ＵＥ１０１は、プロセッサ（ＣＰＵ）１０１１およびインターフェース（ＩＦ）１０１２を含み、フロントエンドと呼ばれることもある。ＩＦ１０１２は、受信機および送信機を含む。ＵＥ１０１は更に、メモリ（ＭＥＭ）１０１５、例えば不揮発性メモリを含む。メモリ１０１５は、プロセッサ１０１１によって実行され得るプログラムコードを格納できる。したがって、プロセッサ１０１１およびメモリ１０１５は、制御回路を形成する。プログラムコードを実行すると、プロセッサ１０１１は、ＬＢＴ動作を含むオープンスペクトルでの受信、ＳＳの受信、ページング信号の受信、オープンスペクトルでの受信試行の実施、ＬＢＴの実施等に関する技術を実行する。
【００５５】
図２はまた、ＳＳ１５９を示す。ＳＳ１５９は、ＢＳ１１２によって送信され、ＵＥ１０１によって受信される。ＳＳ１５９は、ＢＳ１１２の基準クロックとＵＥ１０１のクロックとの間の時間同期を容易にする。この時間同期は、ＵＥ１０１がＢＳ１１２から受信した信号、例えばページング信号を復号できるために必要である。時間同期は、ＢＳ１１２によって使用される時間−周波数リソースグリッドと、ＵＥ１０１によって使用される時間−周波数リソースグリッドとを整列させるのに役立つ。ときには、ＳＳ１５９は、ＳＳバースト（図２には図示せず）にクラスタ化される。
【００５６】
図３は、無線ネットワーク１００のより詳細な実装を概略的に示す。図３の例は、３ＧＰＰ  ５Ｇアーキテクチャによる無線ネットワーク１００を示す。基本的なアーキテクチャの詳細は、３ＧＰＰ  ＴＳ  ２３．５０１、バージョン１．３．０（２０１７−０９）で説明されている。図３および以下の説明の更なる部分は、３ＧＰＰ  ５Ｇフレームワークにおける技術を示すが、同様の技術は、異なる通信プロトコルにも容易に適用され得る。その例には、３ＧＰＰ  ＬＴＥ  ４ＧおよびＩＥＥＥ  Ｗｉ−Ｆｉ技術が含まれる。
【００５７】
ＵＥ１０１は、通常は１つまたは複数のＢＳ１１２（図３には図示せず）によって形成される無線アクセスネットワーク（Radio  Access  Network：ＲＡＮ）１１１を介して、ネットワーク１００に接続可能である。無線リンク１１４は、ＲＡＮ１１１、特にＲＡＮ１１１の１つ以上のＢＳ１１２とＵＥ１０１との間で確立される。
【００５８】
ＲＡＮ１１１は、コアネットワーク（Core  Network：ＣＮ）１１５に接続される。ＣＮ１１５は、ユーザプレーン（User  Plane：ＵＰ）１９１および制御プレーン（Control  Plane：ＣＰ）１９２を含む。アプリケーションデータは、通常、ＵＰ１９１を介してルーティングされる。このため、ＵＰ機能（UP  Function：ＵＰＦ）１２１が設けられている。ＵＰＦ１２１は、ルータ機能を実装することができる。アプリケーションデータは、１つ以上のＵＰＦ１２１を通過し得る。図３に示すように、ＵＰＦ１２１は、例えばインターネットまたはローカルエリアネットワークなどのデータネットワーク（Data  Network：ＤＮ）１８０へのゲートウェイとして機能する。アプリケーションデータは、ＵＥ１０１およびＤＮ１８０上の１つまたは複数のサーバーとの間で通信することができる。
【００５９】
ネットワーク１００はまた、アクセスおよびモビリティ管理機能（Access  and  Mobility  Management  Function：ＡＭＦ）１３１、セッション管理機能（Session  Management  Function：ＳＭＦ）１３２、ポリシー制御機能（Policy  Control  Function：ＰＣＦ）１３３、アプリケーション機能（Application  Function：ＡＦ）１３４、ネットワークスライス選択機能（Network  Slice  Selection  Function：ＮＳＳＦ）１３４、認証サーバー機能（Authentication  Server  Function：ＡＵＳＦ）１３６、および統合データ管理（Unified  Data  Management：ＵＤＭ）１３７を含んでいる。図３はまた、これらノード間におけるプロトコル基準点Ｎ１〜Ｎ２２も示している。
【００６０】
ＡＭＦ１３１は、次の機能の１つ以上を提供する。すなわち、登録管理、ＮＡＳの終了、接続管理、到達可能性の管理、モビリティ管理、アクセス認証である。ＡＭＦ１３１は、ＮＡＳレベルのセキュリティコンテキストを、ＵＥ１０１とネゴシエートできる。３ＧＰＰ  ＴＳ２３．５０１バージョン１．３．０（２０１７−０９）、セクション６．２．１を参照されたい。例えば、それぞれのＵＥ１０１が切断モードで動作する場合、ＡＭＦ１３１は、ＵＥ１０１のＣＮ開始のページングを制御する。ＡＭＦ１３１は、ＵＥ１０１のＤＲＸサイクルのタイミングを追跡し続けることができる。ＡＭＦ１３１は、ＲＡＮ１１１のＢＳ１１２により、例えばＵＥモビリティに責任を負うトラッキングエリアにおいて、ページング信号のＵＥ１０１への送信をトリガーすることができる。
【００６１】
それぞれのＵＥ１０１が接続モードで動作するのであれば、データ接続１８９はＡＭＦ１３１によって確立される。ＵＥ１０１の現在のモードを追跡するために、ＡＭＦ１３１は、ＵＥ１０１を接続された進化型パケットシステム接続管理（Evolved  Packet  System  Connection  Management：ＥＣＭ）またはＥＣＭアイドルに設定する。ＥＣＭが接続されている間、ＵＥ１０１とＡＭＦ１３１との間で非アクセス層（ＮＡＳ）接続が維持される。ＮＡＳ接続は、モビリティ制御接続の一例を実装する。ＮＡＳ接続は、ＵＥ１０１のページングに応答してセットアップされ得る。
【００６２】
ＳＭＦ１３２は、以下の機能の１つまたは複数を提供する。すなわち、ＲＡＮ１１１とＵＰＦ１２１の間でのＵＰベアラのベアラ設定を含んだ、セッションの確立、変更、解放を含むセッション管理、ＵＰＦの選択および制御、トラフィックステアリングの設定、ローミング機能、ＮＡＳメッセージの少なくとも一部の終了等である。
【００６３】
したがって、ＡＭＦ１３１およびＳＭＦ１３２は両方とも、移動するＵＥをサポートするために必要なＣＰモビリティ管理を実装する。
【００６４】
図３はまた、データ接続１８９に関する態様を示す。データ接続１８９は、ＣＮ１１５のＵＰ１９１を介して、ＲＡＮ１１１とＵＥ１０１との間で、またＮ１８０に向けて確立される。例えば、インターネットまたは別のパケットデータネットワークとの接続を確立できる。データ接続１８９を確立するために、それぞれのＵＥ１０１が、例えばページング信号の受信に応答して、ランダムアクセス（ＲＡ）手順を実行することが可能である。ＤＮ１８０のサーバーは、アプリケーションデータ（ペイロードデータとも呼ばれる）がデータ接続１８９を介して通信されるサービスをホストすることができる。
【００６５】
データ接続１８９は、専用ベアラまたはデフォルトベアラなどのような、１つまたは複数のベアラを含み得る。データ接続１８９は、無線リソース制御（Radio  Resource  Control：ＲＲＣ）層、例えば一般には第２層のＯＳＩモデルの第３層上で定義することができる。
【００６６】
図４は、ＵＥ１０１が動作できる異なるモード３０１〜３０３に関する態様を示す。動作モード３０１〜３０３の実装例は、例えば３ＧＰＰ  ＴＳ  ３８．３００、例えばバージョン１５．０に記載されている。
【００６７】
接続モード３０１の際には、データ接続１８９がセットアップされる。例えば、デフォルトのベアラおよびオプションで１つまたは複数の専用ベアラを、ＵＥ１０１とネットワーク１００の間に設定することができる。ＵＥ１０１の受信機は、アクティブ状態で持続的に動作することができる。
【００６８】
次に、電力消費を低減するために、接続モード３０１から、受信機のＤＲＸサイクルを使用する接続モード３０２に移行することが可能である。ＤＲＸサイクルには、それぞれのタイミングスケジュールに従って、オン期間とオフ期間が含まれる。オフ期間の際には、受信機はデータを受信するには適さない。受信機の非アクティブ状態がアクティブ化され得る。
【００６９】
ＤＲＸサイクルのタイミングスケジュールは、ＵＥ１０１とＢＳ１１２との間で同期され、ＢＳ１１２は、例えばアプリケーションデータの任意のＤＬ送信を、接続モードのＤＲＸサイクルのオン期間に合わせることができる。モード３０２において、データ接続１８９はセットアップが維持される。
【００７０】
更なる電力削減を達成するために、アイドルモード３０３において実施することが可能である。アイドルモード３０３は、ここでも再度、ＵＥ１０１の受信機のＤＲＸサイクルに関連付けられる。しかしながら、アイドルモード３０３におけるＤＲＸサイクルのオン期間にある間、受信機は、ページングインジケータおよび任意にページングメッセージを受信するためにのみ適している。例えば、これは、アイドルモード３０３のＤＲＸサイクルのオン期間中に、受信機により監視されることが必要とされる特定の帯域幅を制限するのに役立つ。受信機は、アプリケーションデータを受信するには適していない。このことは、例えば接続モード３０２と比較した場合、電力消費を更に低減するのを助ける。
【００７１】
図５は、異なるモード３０１〜３０３の間の移行に関する態様を示している。図５は更に、ＤＲＸサイクル３７０を使用する態様を示す。ページング信号の通信に関しては、本明細書で説明する様々な実施例において、そのような技術を用いることが可能である。
【００７２】
まず、ＵＥ１０１は、接続モード３０１で動作する。これは、受信機がアクティブ状態３８１で永続的に動作するため、高レベルで永続的な電力消費を引き起こす。アクティブ状態３８１は、特定の電力消費に関連している。次に、電力消費を低減するために、ＤＲＸを使用する接続モード３０２がアクティブ化される。ここでは、アクティブ状態３８１および非アクティブ状態３８４で選択的に動作する受信機のオン期間３７１およびオフ期間３７２が示されている。
【００７３】
次に、電力消費を更に低減するために、アイドルモード３０３がアクティブ化される。これには、データ接続１８９を解除することが伴う。ここでも、アイドルモード３０３は、それぞれのタイミングスケジュール３７５のオン期間３７１およびオフ期間３７２を含むＤＲＸサイクル３７０を使用する。アイドルモード３０３のオン期間３７１は、接続モード３０２のオン期間３７１と比較すると、より低い電力消費に関連付けられる。なぜなら、接続モード３０２と比較した場合に、アイドルモード３０３ではアクティブ状態３８２で動作している受信機の能力が低下し得るからである。アイドルモード３０３の間、アクティブ状態３８２では、受信機はページング信号の受信のみを予測する。それぞれのタイミングスケジュール３７５のオン期間３７１は、ＰＯ２０２と整合している。
【００７４】
図６はシグナリング図である。図６は、ＵＥ１０１とＢＳ１１２との間の通信に関する態様を示す。図６は、ページング信号４００４、４００５の送信および／または受信（通信）に関する態様を示す。
【００７５】
一般にオプションのブロックである３００１では、ユーザデータメッセージ４００２が通信される。例えば、ユーザデータメッセージ４００２は、ベアラの一部等としてのデータ接続１８９に沿って通信され得る。ユーザデータメッセージ４００２は、アプリケーションデータを含む。
【００７６】
こうして、ＵＥ１０１とＢＳ１１２の間で通信されるデータはもう存在しない。送信バッファは空である。これにより、タイマーがトリガーされ得る。例えば、タイマーは、ＵＥ１０１に実装されてよい。非活動スケジュールに従って設定された特定のタイムアウト期間２０１の後、ＵＥ１０１の受信機は、３００２において、アクティブ状態３８１から非アクティブ状態３８４に移行する。これは、ＵＥ１０１の電力消費を低減するために行われる。例えば、主受信機１３５１を非アクティブ状態３８４に移行させる前に、適切な制御シグナリング（図６には図示せず）によって、データ接続１８９を解除することが可能である。タイムアウト期間２０１は、非アクティブ状態３８４に移行するためのトリガー基準の例示的な実装であり、他のトリガー基準も可能である。例えば、接続解除メッセージが通信されてもよい。
【００７７】
これは、アイドルモード３０３（図４参照）への移行に対応している。
【００７８】
次に、複数のＰＯ２０２が実施される。ＰＯ２０２は、ＤＲＸサイクル３７０のオン期間３７１に一致してよい。
【００７９】
ある時点で、ＢＳ１１２は、ページングインジケータ４００４を送信する。ＵＥ１０１は、３００３においてページングインジケータ４００４を受信する。例えば、ページングインジケータ４００４は、ＵＥ１０１の一時的または静的なアイデンティティを含み得る。または、ページングインジケータは、国際モバイル加入者識別情報（International  Mobile  Subscriber  Identity：ＩＭＳＩ）のようなＵＥの独特なユーザ情報から曖昧な方法で導出される場合があるため、複数のＵＥを示すことがあり得る。ページングインジケータ４００４は、３００４においてページングメッセージ４００５を通信するために使用される変調および暗号化スキーム（Modulation  and  Coding  Scheme：ＭＣＳ）に関する情報を含み得る。ページングメッセージ４００５は、共有チャネル、例えば、物理ダウンリンク共有チャネル（Physical  Downlink  Shared  Channel：ＰＤＳＣＨ）で通信され得る。ページングメッセージは、ＲＲＣ制御データを含み得る。一般に、ページングインジケータ４００４およびページングメッセージ４００５は、異なるチャネル上で通信され得る。ページングメッセージ４００５は、ページングインジケータ４００４によって示されるＭＣＳに従って変調および暗号化され得る。したがって、ＵＥ１０１は、第１にページングインジケータ４００４を受信し、第２にページングメッセージ４００５を受信することが必要とされる可能性がある。ページングインジケータ４００４およびページングメッセージ４００５が同じＰＯで受信されることは必須ではない。
【００８０】
次いで、３００５において、ＵＥ１０１とＢＳ１１２との間にデータ接続１８９がセットアップされる。これには、ＲＡ手順およびＲＲＣセットアップが含まれ得る。
【００８１】
最後に、ＵＬまたはＤＬユーザデータメッセージ（例えば、ペイロードデータを含む）４００２が、３００６において、新しくセットアップされたデータ接続１８９を使用して通信される。
【００８２】
図６において、ＵＥ１０１は、ＰＯ２０２におけるページング受信の準備をするために、その受信機をアクティブにする。このために、ＵＥ１０１は、典型的には最初にＳＳ送信を識別する必要がある。図６では、単純化するために、ＳＳバースト送信が図示されていない。３ＧＰＰ  ＮＲにおいては、ＳＳはＳＳバーストに含まれる。例えば、ＳＳブロックには、１次ＳＳ（ＰＳＳ）および２次ＳＳ（ＳＳＳ）、ならびにブロードキャストチャネル（ＰＢＣＨ）が含まれ得る。所与のＳＳバースト内において、ＳＳブロックの幾つかの連続した繰り返しが存在し得る。ＳＳバーストは、特定の時間ウィンドウ、例えば、５ｍｓの時間ウィンドウで定義され得る。各ＳＳブロックの最大送信帯域幅は、［５  １０  ４０  ８０］ＭＨｚであることができ、［１５  ３０  １２０  ２４０］ＫＨｚのサブキャリア間隔を伴ってよい。また、ＳＳバーストセットの周期性は、｛５、１０、２０、４０、８０、１６０｝ミリ秒の組から設定可能である。
【００８３】
図６のシナリオは、オープンスペクトル上での通信と組み合わせることができる。これは図７に示されている。
【００８４】
図７はシグナリング図である。図７は、ＵＥ１０１とＢＳ１１２との間の通信に関する態様を示す。図７は、ページング信号４００４、４００５を送信および／または受信（通信）することに関する態様を示す。
【００８５】
図７は、ページングのためにオープンスペクトルにアクセスする態様を具体的に示している。例えば、図７の技術は、図６の３００３、３００４でのページング信号４００４、４００５の通信に関連して使用することができる。
【００８６】
ＰＯ２０２と時間整合された３０１１において、ＢＳ１１２はＬＢＴ手順を実施する。換言すれば、ＢＳ１１２はオープンスペクトルへのアクセスを試みる。したがって、信号レベルはオープンスペクトルで検知される。例えば、信号レベルが閾値を超えれば、バックオフ４７０を実施することができる。図７のシナリオにおいて、３０１１でのＬＢＴ手順は、ＵＥ１０１により実施されるＤＲＸサイクル３７０のタイミングスケジュール３７５に従って実施される。ＬＢＴ手順は、ＤＲＸサイクル３７０のオン期間３７１と一致するＰＯ２０２で送信試行を実施するＢＳ１１２を含む。
【００８７】
図７に示すように、送信試行が失敗し、バックオフ４７０がアクティブ化される。次に、３０１２（次のＰＯ２０２で、または未だ同じＰＯ２０２内で）において、更なるＬＢＴ手順が実施される。３０１２において送信試行は成功し、したがってＢＳ１１２は、３０１３、３０１４でページング信号４００４、４００５を送信する。
【００８８】
図７に示されるのは、ＵＥ１０１の動作に関する更なる態様である。図７のシナリオにおいて、ＵＥ１０１は、ＤＲＸサイクル３７０のタイミングスケジュール３７５に従って、３０１５および３０１６で受信試行を実施する。３０１１での送信試行が失敗したため、３０１５での受信試行は失敗する。３０１６での受信試行は成功する。
【００８９】
以下では、（Ｉ）ネットワークがＵＥ１０１をページングしておらず、ページング信号４００４、４００５を送信することさえ試みていないために、ページング信号４００４、４００５が受信試行において受信されないシナリオと、（ＩＩ）ネットワークはページング信号４００４、４００５を送信しようと試みているが、送信試行が失敗したために送信できないシナリオとの間の区別を容易にする技術について説明する。これにより、ＵＥ１０１での調整されたバックアップ手順が容易になる。曖昧さを回避することにより、エネルギー消費量を削減できる。
【００９０】
更に、以下では、オープンスペクトルのＭＣＯＴ内でＵＥ１０１のページング完了を容易にする技術について説明する。
【００９１】
そのような効果を可能にする戦略が、図８に関連して示される。
【００９２】
図８は、このページングのための時間−周波数リソースの割り当てを示している。図８には、ＳＳバースト１５０およびページング信号４００４、４００５に対する時間−周波数リソースの割り当てが示されている。時間−周波数リソースは、オープンスペクトル４０９に存在する。
【００９３】
時間−周波数リソースは、シンボルおよびサブキャリアを含んだ直交周波数分割多重（Orthogonal  Frequency  Division  Multiplexing：ＯＦＤＭ）変調によって定義することができる。情報をコード化するアトミック要素は、それぞれの時間−周波数リソース要素に関連付けられる。
【００９４】
図８に示されるように、複数のＳＳ１５９を含むＳＳバースト１５０は、オープンスペクトル上で、ＢＳ１１２からＵＥ１０１へと通信される。また、ページング信号４００４、４００５は、オープンスペクトル上で、ＢＳ１１２からＵＥ１０１に通信される。図８に示されるように、ＳＳバースト１５０、ならびにページング信号４００４、４００５は、共通のＭＣＯＴ４０５において通信される。時間−周波数リソースがそれぞれ割り当てられる。したがって、ＬＢＴ手順での送信試行が成功すれば、１回のＭＣＯＴ４０５内で全ての信号１５０、４００４、４００５を通信することが可能である。１回のＭＣＯＴのみが必要とされるので、時間−周波数リソースの好ましくない割り当てのために複数のＭＣＯＴが必要とされるシナリオと比較すれば、ページングを迅速に完了する可能性が増大する。
【００９５】
図９は、ページングのための時間−周波数リソースの割り当てを図示する。図９は、概ね図８に対応する。
【００９６】
図９のシナリオでは、複数のＳＳバースト１５０が周波数分割多重化を使用して通信される。それにより、ＢＳ１１２とのＵＥ１０１の同期のために、周波数ダイバーシティは促進されることができる。これは、一般に、ページング信号４００４、４００５の受信成功の可能性を増加させる。
【００９７】
そのような周波数分割多重化アプローチの代わりに、またはそれに加えて、複数のＳＳバースト１５０はまた、ＭＣＯＴ４０５の長さが許すときは、時分割多重化を使用して通信され得る。
【００９８】
例えば、ＭＣＯＴ４０５の持続時間は、例えば、オープンスペクトルの規制要件から決定され得る。そして、周波数分割多重化の周波数再利用係数は、このようなＭＣＯＴ４０５の持続時間の決定に基づいて選択することができる。
【００９９】
図８および図９のシナリオにおいて、少なくとも１つのＳＳバースト１５０は、ＭＣＯＴ４０５の第１の部分４１１において通信される。ページング信号４００４、４００５は、この第１の部分４１１の後に配置されるＭＣＯＴ４０５の第２の部分４１２で通信される。少なくとも１つのＳＳバースト１５０は、帯域幅４５１を使用して通信され、ページング信号４００４、４００５は、帯域幅４５２を使用して通信される。一般に、帯域幅４５１は、帯域幅４５２と異なることができる。ページング信号４００４、４００５においては通常、より多くの情報が伝達されなくてはならないため、帯域幅４５２が帯域幅４５１よりも大きくなる傾向があり得る。しかし、（図９に示すように）複数のＳＳバースト１５０の送信に使用される周波数分割多重化の周波数再利用係数に応じて、この差は消失するか、または小さい可能性がある。このことは、第１の部分４１１と第２の部分４１２との間のリソースの割り当てにおける非対称性の回避を補助し、これは効率的にオープンスペクトルを占有するのに役立つ。
【０１００】
更に、例えば周波数分割多重化を使用して、複数のＳＳバーストを通信することから生じる制御シグナリングのオーバーヘッドを制限するために、ＳＳバーストの通信に割り当てられた帯域幅の適応を使用することができる。そのようなシナリオが図１０に示されている。
【０１０１】
図１０は、ページングおよび同期のための時間−周波数リソースの割り当てを示す。図１０のシナリオでは、ＳＳバースト１５０およびページング信号４００４、４００５は、ＵＥ１０１のＤＲＸサイクル３７０のタイミングスケジュール３７５に従って、すなわち、ＰＯ２０２で通信される。
【０１０２】
図１０のシナリオにおいて、ＰＯ２０２における、すなわち、不連続受信サイクル３７０のタイミングスケジュール３７５に従ったＳＳバースト１５０の通信のための帯域幅４５１は、図９に示すように実装される。しかしながら、より小さな帯域幅４５３を使用する更なるＳＳバースト１５０Ａが、ＰＯ２０２（複数）の間で通信される。例えば、ＳＳバースト１５０に含まれるＳＳ１５９は、ＳＳバースト１５０Ａに含まれるＳＳ１５９と同じであるか、または対応することができる。図１０に示すように、ＳＳバースト１５０Ａの繰り返し率は、通信信号バースト１５０の繰り返し率よりも大きくすることができる。
【０１０３】
図１０のアプローチは、制御シグナリングのオーバーヘッドを制限する一方で、同時に低遅延のページングを容易にする。
【０１０４】
図８〜図１０のシナリオにおいて、ＭＣＯＴ４０５で通信されるページング信号は、ページングインジケータ４００４およびページングメッセージ４００５（図６および図７を参照）の両方を含む。ページングメッセージ４００５は、ページングインジケータ４００４の後に送信される。一般に、ページングインジケータ４００４のみが最小限１つのＳＳバースト１５０と一緒に共通のＭＣＯＴ４０５で通信されれば、低遅延ページングを促進済みにすることができる。次いで、２つのＬＢＴ手順が必要とされるが、これは基準実装と比較して、ページングの完了までに必要とされる時間が低減される。
【０１０５】
複数のページング信号４００４、４００５がＭＣＯＴ４０５に含まれる場合、それらは、例えばＭＣＯＴ４０５の持続時間に応じて、周波数分割多重化および時分割多重化のうちの少なくとも１つを使用して通信され得る。
【０１０６】
更に、図８〜図１０に示すように、少なくとも１つのＳＳバースト１５０および１つまたは複数のページング信号４００４、４００５は、隣接する時間−周波数リソースで通信される。したがって、スペクトルの利用率が高くなる可能性があり、これにより、１つまたは少数のＭＣＯＴ４０５内でのページングの完了が容易になる。隣接する時間−周波数リソースの場合、少なくとも１つのＳＳバースト１５０と、１つ以上のページング信号４００４、４００５の間には、シンボルが配置されない可能性がある。
【０１０７】
図１１は、ページングおよび同期のための、時間−周波数リソースの割り当てを示す。この図１１のシナリオでは、ＳＳバースト１５０およびページング信号４００４、４００５は、ＵＥ１０１のＤＲＸサイクル３７０のタイミングスケジュール３７５−１に従って、すなわち、ＰＯ２０２において通信される。
【０１０８】
図１１は、ＵＥの挙動に関する態様を示している。詳細に言えば、３１０１において、ＵＥは、少なくとも１つのＳＳバースト１５０の受信試行４７１を実施し、更に、少なくとも１つのページング信号４００４、４００５の受信試行４７２を実施する。ここで、受信試行４７１は、ＭＣＯＴ４０５の第１の部分４１１と時間整合される一方、受信試行４７２は、ＭＣＯＴ４０５の第２の部分４１２と時間整合される。
【０１０９】
受信試行４７１の結果に基づいて、および任意に受信試行４７２の結果に基づいて、バックオフ４７０がアクティブ化され、またはアクティブ化されない（選択的にアクティブ化される）。バックオフ４７０は、バックオフ期間後の更なる受信試行４７１、４７２を可能にする。受信試行４７１の結果を考慮することにより、一方ではＢＳ１１２におけるＬＢＴ手順が失敗した送信試行と、他方ではネットワークページングの欠如との間での信頼できる識別が可能である。
【０１１０】
図１１の例において、３１０１での両方の受信試行４７１および４７２は肯定的な結果を有する。すなわち、ＵＥ１０１は、少なくとも１つのＳＳバースト１５０および少なくとも１つのページング信号４００４、４００５を受信することができる。これは、対応するＢＳ１１２でのＬＢＴ手順の送信試行もまた、肯定的な結果をもたらしたことを意味する。次に、受信試行４７１の結果および受信試行４７２の結果に基づいて、オフ期間３７２が起動される。詳細には、３１０１において、ページングはＵＥ１０１のためではなく、別のＵＥのためのものである。したがって、ＵＥ１０１は、接続モード３０１、３０２へは移行せず、ＤＲＸサイクル３７０のオフ期間３７２をアクティブ化する。ＵＥ１０１はページングされないので、切断モード３０３で動作し続ける。
【０１１１】
次のＰＯ２０２では、３１０２において、ＵＥ１０１が再び受信試行４７１、４７２を実施する。受信試行４７１と受信試行４７２は両方とも失敗、すなわち、それぞれの結果は否定的である。受信試行４７１の失敗は、バックオフ４７０（図７参照）のアクティブ化をトリガーする。これは、ネットワークページングがない場合でも、ＢＳ１１２による送信試行の肯定的な結果により、少なくとも１つのＳＳバースト１５０が送信されるという発見によって動機付けられる。しかしながら、この少なくとも１つのＳＳバースト１５０を目的とした受信試行４７１が失敗するので、ＢＳ１１２は、失敗した送信試行の故にバックオフ４７０を実施したと結論付けることができる。
【０１１２】
バックオフ４７０の後、ＵＥ１０１は、３１０３において、今度は肯定的な結果を伴って受信試行４７１、４７２を再び実施する。３１０３においては、少なくとも１つのページング信号４００４、４００５がＵＥ１０１のページングを指示し、その後、これは接続モード３０１、３０２（図１１には図示せず）へと移行する。
【０１１３】
図１１のシナリオにおいて、バックオフ４７０には、バックオフタイマーをアクティブにすることが含まれる。３１０２および３１０３は同じＰＯ２０２の一部である。具体的には、３１０２における受信試行４７１、４７２および３１０３における受信試行４７１、４７２との間で、ＵＥ１０１の受信機は継続的にアクティブ状態３８２で動作する。言い換えれば、バックオフタイマーは、オン期間３７１よりも短い寸法である。これは、隣接するＭＣＯＴ（複数）４０５の間の期間４０６（典型的には、オープンスペクトル４０９の規制要件によっても定義される）がオン期間３７１よりも短いために可能である。そのようなシナリオでは、ＤＲＸサイクル３７０のタイミングスケジュール３７５−１を修正する必要はない。他の例では、ＤＲＸサイクル３７０のタイミングスケジュールを修正するのが好ましい場合がある。そのようなシナリオは、図１２に関連して示される。
【０１１４】
図１２は、ページングおよび同期のための時間−周波数リソースの割り当てを示しており、この時間−周波数リソースはオープンスペクトル４０９に存在する。図１２に示されるように、ＳＳバースト１５０およびページング信号４００４、４００５は、ＵＥ１０１のＤＲＸサイクル３７０のタイミングスケジュール３７５−１に従って、すなわち、ＰＯ２０２において通信される。
【０１１５】
図１２は、ＵＥの挙動に関する態様を示している。図１２のシナリオは、概ね図１１のシナリオに対応している。しかしながら、図１２のシナリオにおいては、ＤＲＸサイクル３７０のタイミングスケジュール３７５−１が修正され、タイミングスケジュール３７５−２を得る。したがって、３１１２における失敗した受信試行４７１に応答して、タイミングスケジュール３７５−２がアクティブ化され、タイミングスケジュール３７５−１は非アクティブ化される。タイミングスケジュール３７５−２は、タイミングスケジュール３７５−１と比較した場合、より短いオフ期間３７２を含む。
【０１１６】
例えば、タイミングスケジュール３７５−１のオフ期間３７２は、タイミングスケジュール３７５−２のオフ期間３７２の整数倍に対応することができる。例えば、タイミングスケジュール３７５−１は、いわゆる拡張されたＤＲＸサイクルに従ってよく、これは（拡張されていない）ＤＲＸサイクルと比較した場合、オフ期間３７２を延長することによって電力消費の節減を容易にする。
【０１１７】
図１２に示すように、３１１２での失敗した受信試行４７１、４７２に応答して、オフ期間３７２がアクティブ化される、すなわち、ＵＥ１０１の受信機は非アクティブ状態３８４（図５参照）へと移行する。受信試行４７１ならびに受信試行４７２の両方が失敗するので、ＢＳ１１２での送信試行は失敗したと結論付けることができる。
【０１１８】
図１３は、ページングおよび同期のための時間−周波数リソースの割り当てを示し、この時間−周波数リソースはオープンスペクトル４０９上に存在する。図１３に示されるように、ＳＳバースト１５０およびページング信号４００４、４００５は、ＵＥ１０１のＤＲＸサイクル３７０のタイミングスケジュール３７５−１に従って、すなわち、ＰＯ２０２において通信される。
【０１１９】
図１３は、ＵＥの挙動に関する態様を示す。図１３のシナリオは、一般的には、図１２のシナリオに対応する。図１３のシナリオでは、３１２１において、受信試行４７１は成功するが、受信試行４７２は失敗する。これは、ネットワークページングが欠如しているためである。しかしながら、少なくとも１つのＳＳバースト１５０は、受信試行４７１の一部として受信することができるので、ＵＥ１０１は、ＢＳ１１２による送信試行も成功したと結論付けることができる。次に、受信試行４７１が成功し、受信試行４７２は失敗するので、タイミングスケジュール３７５のオフ期間３７２をアクティブ化することができる。
【０１２０】
図１４は、様々な実施例に従った方法のフローチャートである。例えば、図１４の方法は、ＢＳ１１２の制御回路１１２１、１１２５によって実装することができる。その代わりに、またはそれに加えて、図１４は、ＵＥ１０１の制御回路１０１１、１０１５によって実装され得るであろう。
【０１２１】
オプションのブロック５００１において、ＰＯが存在するかどうかがチェックされる。ＰＯは、ＵＥのＤＲＸサイクルのタイミングスケジュールのオン期間と一致し得る（図５、６、および１０を参照されたい）。
【０１２２】
ＰＯが発生すると、当該方法がブロック５００２で開始する。ブロック５００２では、少なくとも１つのＳＳバーストが通信される。例えば、複数のＳＳバーストは、少なくとも１つの周波数分割多重化および時分割多重化を使用して通信され得る。ブロック５００２において、ＢＳは少なくとも１つのＳＳバーストを送信することができ、および／または、ＵＥは少なくとも１つのＳＳバーストを受信することができる。
【０１２３】
次に、ブロック５００３において、少なくとも１つのページング信号が通信される。例えば、ページングインジケータおよび／またはページングメッセージが通信され得る（図６および７を参照されたい）。ブロック５００３において、ＢＳは少なくとも１つのページング信号を送信することができ、および／または、ＵＥは少なくとも１つのページング信号を受信することができる。
【０１２４】
ブロック５００２および５００３は、ＢＳの送信試行およびＵＥの受信試行を含むことができる。
【０１２５】
ブロック５００２、５００３は、オープンスペクトルの共通のＭＣＯＴ内で実行され得る。したがって、ブロック５００２の少なくとも１つのＳＳバーストおよびブロック５００３の少なくとも１つのページング信号は、共通のＭＣＯＴに連結され得る（図８および９を参照されたい）。
【０１２６】
オプションのブロック５００４において、少なくとも１つの更なるＳＳバーストが通信される。ブロック５００４の少なくとも１つの更なるＳＳバーストは、任意のＰＯからの時間オフセットで通信される。したがって、ブロック５００１においてＰＯが存在しないと判断された場合、ブロック５００４の少なくとも１つの更なるＳＳバーストも通信される。例えば、ブロック５００４の少なくとも１つの更なるＳＳバースト、およびブロック５００２の少なくとも１つのＳＳバーストは、オープンスペクトル上で異なる帯域幅が割り当てられ得る（図１０を参照されたい）。
【０１２７】
図１５は、様々な例による方法のフローチャートである。例えば、図１５の方法は、ＵＥ１０１の制御回路１０１１、１０１５によって実装され得る。
【０１２８】
図１５の方法は、図１４の方法と相互に関連付けることができる。
【０１２９】
ブロック５０５１は、図１４のブロック５００１に対応する。
【０１３０】
ブロック５０５２は、図１４のブロック５００２に対応する。ブロック５０５２では、もしブロック５０５１においてＰＯが存在すると判断されたならば、第１の受信試行が実施される。受信試行の実施には、オープンスペクトル上で１つ以上の基準信号をリッスンすることが含まれる。
【０１３１】
ブロック５０５３はブロック５００３に対応する。ブロック５０５３では、少なくとも１つのページング信号についての第２の受信試行が実施される。
【０１３２】
図１５のシナリオでは、ＰＯが存在しなければ受信試行は実施されない。例えば、対応する受信機は、その後は非アクティブ状態で動作することができる（図５を参照されたい）。
【０１３３】
ブロック５０５２、５０５３において第１および第２の受信試行を実施することにより、一方では失敗した送信試行と、ネットワークによるページングの欠如とを区別することができる。そのようなシナリオは、図１６で更に詳細に示される。
【０１３４】
図１６は、様々な例に従った方法のフローチャートである。例えば、図１６の方法は、ＵＥ１０１の制御回路１０１１、１０１５によって実装され得る。
【０１３５】
ブロック５０１１は、図１４のブロック５００１に対応する。
【０１３６】
ブロック５０１１においてＰＯが存在すると判断された場合、ブロック５０１２では、ＤＲＸサイクルのタイミングスケジュールのオン期間がアクティブ化される。これは、ページング信号を受信するのに適したアクティブ状態（図５を参照）で、ＵＥの受信機を動作させることを含むことができる。
【０１３７】
ブロック５０１３は、図１５のブロック５０５２に対応し、ここでは、１つまたは複数のＳＳバーストについての受信試行によって実施される。
【０１３８】
ブロック５０１４は、図１５のブロック５０５３に対応する。
【０１３９】
ブロック５０１５において、第１の受信試行が肯定的な結果を有するかどうかが判断される。例えば、ブロック５０１３では、少なくとも１つのＳＳバーストが受信されたかどうかをチェックすることができる。ブロック５０１５で第１の受信試行が成功したと判断されれば、次いで、ブロック５０１６が実行される。
【０１４０】
ブロック５０１６では、第２の受信試行が成功したかどうかが判断される。例えば、ブロック５０１４で少なくとも１つのページング信号が受信されたかどうかをチェックすることができる。
【０１４１】
ブロック５０１６において、ブロック５０１４の第２の受信試行が肯定的な結果を有すると判断されれば、次いでブロック５０１７において、ページングがＵＥ向けであるかどうかがチェックされる。例えば、対応するページング信号に含まれる１つまたは複数のＵＥアイデンティティを、対象ＵＥのＵＥアイデンティティと比較することができる。
【０１４２】
ブロック５０１７において、ネットワークが当該ＵＥをページングしようとしていると判断されれば、次いでブロック５０２２が実行される。ブロック５０２２では、接続モードへの移行が、例えばＲＡ手順によって実施される（図４を参照されたい）。
【０１４３】
ブロック５０１７において、ネットワークが当該ＵＥをページングしようとしていないと判断されれば、次いでブロック５０１８では、ＤＲＸサイクルのオフ期間がアクティブ化される。これは、ＵＥの受信機を非アクティブ状態で動作させることに対応することができる（図５を参照されたい）。同様に、ブロック５０１６において、第２の受信試行が成功しなかったと判断された場合には、ネットワークは何れのＵＥもページングしないため、ブロック５０１８が実行される。
【０１４４】
ブロック５０１５において、第１の受信試行が成功しなかったと判断された場合には、次にブロック５０１９においてバックオフがアクティブ化される。ブロック５０１９ではバックオフが実施される（ときにはＬＢＴバックオフとも称される）。原則として、バックオフを実施するための様々な戦略が利用可能である。１つの戦略には、バックオフタイマーのアクティブ化が含まれる。図１６に示されるような更なる戦略には、ブロック５０２０において、ＤＲＸサイクルの更なるタイミングスケジュールをアクティブ化することが含まれる。ブロック５０２１では、ＤＲＸサイクルの新たにアクティブ化された更なるタイミングスケジュールのオフ期間が、バックオフより短いかどうかがチェックされる。肯定の場合には、ブロック５０１８において、新たにアクティブ化された更なるタイミングスケジュールのオフ期間がアクティブ化される。そうでない場合は、ＤＲＸサイクルのオフ期間をアクティブ化せずに、バックオフタイマーをアクティブ化することができる。次に、ブロック５０１３を同じＰＯ内で再実施することができる。
【０１４５】
要約すると、ページングに対するオープンスペクトル通信のＬＢＴの影響を制限する技術が説明されている。幾つかの例では、１つまたは複数のＳＳバーストおよび１つまたは複数のページング信号を、オープンスペクトルのＭＣＯＴに連結することが可能である。更なる例では、代替的または追加的に、ネットワークノードは、現時点では意図された時間に意図された受信機と通信することはできないと、ＬＢＴ手順を介して結論付けることができる。これはＬＢＴ障害と呼ばれる。次いで、バックアップ手順をトリガーすることができる。
【０１４６】
本明細書で説明する様々な技術は、無認可スペクトルにおける動作のＳＳ設計がスタンドアロンに従うことができ、または認可帯域での３ＧＰＰ  ＮＲの動作に基づくことができるという発見に基づいている。ただし、一部のスペクトル特性および規制要件（ＬＢＴによるチャネル可用性の不確実性など）のため、特定の態様については更に検討する必要がある。アクセス規制の観点から、例えば、ＳＳブロックおよびＲＡ信号の送信帯域幅は、多くの場合、無認可帯域の公称チャネル帯域幅よりも狭い場合がある。したがって、周波数ドメインでの送信の設計または割り当ては、この目的に合わせて調整できる。
【０１４７】
チャネルアクセスの観点からは、制御シグナリングからのＬＢＴオーバーヘッドを低減することが有用であり得る。これは、ＭＯＯＴを利用して、ＳＳ、ＲＡプリアンブル、ＲＡ  Ｍｓｇ２／３／４のような初期アクセスの制御信号（ネットワークアクセス信号）を連続的に送信することで実現できる。
【０１４８】
様々なチャネルアクセス要件により、オープンスペクトルに適用する場合、認可帯域のＮＲ制御信号の設計を修正する必要があり得るとの発見に基づいて、様々な技術が使用されている。
【０１４９】
本明細書で説明する技術の幾つかは、チャネル競合およびチャネル占有時間を考慮に入れた、オープンスペクトルでの送信のためのＳＳバースト送信のような、制御シグナリング設計に関する。ＳＳバーストを、例えばＰＤＳＣＨ上のアプリケーションデータおよびネットワークアクセス信号のような他の送信と共に多重化することは、信号帯域幅の側面に関し、ＬＢＴオーバーヘッドの低減を達成することに関する。また、ＲＡステップの数（２ステップのＲＡ手順など）またはＲＡ手順に関連した送信の保証を低減することは、ＬＢＴ障害によるＲＡ障害の発生を減らすのに役立つ。
【０１５０】
本明細書で説明する技術は、チャネルアクセス規制の側面に関して、オープンスペクトルでの送信のために、制御シグナリング設計を調整する。
【０１５１】
要約すると、次の実施例が説明されている。
実施例１．
基地局（１１２）を動作させる方法は、
・オープンスペクトル（４０９）の時間制限されたチャネルアクセスインターバル（４０５）において、少なくとも１つの同期信号バースト（１５０）を端末（１０１）に送信することと、
・オープンスペクトル（４０９）のチャネルアクセスインターバル（４０５）において少なくとも１つのページング信号（４００４、４００５）を端末（１０１）に送信することを含む。
【０１５２】
実施例２．
端末（１０１）を操作する方法は、
・オープンスペクトル（４０９）において少なくとも１つの同期信号バースト（１５０）についての第１の受信試行（４７１）を実施することと、
・オープンスペクトル（４０９）において少なくとも１つのページング信号（４００４、４００５）についての第２の受信試行（４７２）を実施することを含み、
ここで、第１の受信試行（４７１）および第２の受信試行は、オープンスペクトル（４０９）の共通の時間制限されたチャネルアクセスインターバル（４０５）において実施される。
【０１５３】
実施例３．
実施例２の方法は、更に、
・第１の受信試行（４７１）の第１の結果に応じて、少なくとも１つの同期信号バースト（１５０）についての更なる第１の受信試行（４７１）、および少なくとも１つのページング信号（４００４、４００５）についての更なる第２の受信試行（４７２）のために、バックオフ（４７０）を選択的にアクティブ化することを含む。
【０１５４】
実施例４．
実施例３の方法は、
第１の受信試行（４７１）が失敗すればバックオフ（４７０）がアクティブ化され、第１の受信試行（４７１）が成功すればバックオフ（４７０）はアクティブ化されない。
【０１５５】
実施例５．
実施例３または４の方法において、
第１の受信試行（４７１）および第２の受信試行（４７２）は、端末（１０１）の不連続受信サイクル（３７０）のタイミングスケジュール（３７５、３７５−１）に従って実施され、
当該方法は更に、
・第１の結果および第２の結果に応じて、不連続受信サイクル（３７０）のオフ期間（３７２）を選択的にアクティブ化することを含む。
【０１５６】
実施例６．
実施例５の方法において、
オフ期間（３７２）は、少なくとも第１の受信試行（４７１）が成功し、且つ第２の受信試行が失敗した場合にアクティブ化される。
【０１５７】
実施例７．
実施例３〜６の何れか１つの方法において、
バックオフ（４７０）は、バックオフタイマーを起動することを含む。
【０１５８】
実施例８．
実施例３〜７の何れか１つの方法において、
第１の受信試行（４７１）および第２の受信試行（４７２）は、端末（１０１）の不連続受信サイクル（３７０）のタイミングスケジュール（３７５、３７５−１）に従って実施され、
バックオフ（４７０）は、不連続受信サイクル（３７０）の更なるタイミングスケジュール（３７５−２）をアクティブ化することを含み、これはタイミングスケジュール（３７５、３７５−１）と比較して、より短いオフ期間（３７２）を含む。
【０１５９】
実施例９．
上記の実施例の何れか１つの方法において、
少なくとも１つの同期信号バースト（１５０）は、複数の同期信号バーストを含み、
複数の同期信号バースト（１５０）は、周波数分割多重化を使用して送信される。
【０１６０】
実施例１０．
実施例９の方法は、更に、
・チャネルアクセスインターバルの持続時間（４０５）を決定することと、
・チャネルアクセスインターバルの持続時間（４０５）の決定に基づいて、周波数分割多重化の周波数再利用係数を選択することを含む。
【０１６１】
実施例１１．
上記の実施例の何れか１つの方法において、
少なくとも１つの同期信号バースト（１５０）は、オープンスペクトル（４０９）の第１の帯域幅（４５１）を使用するチャネルアクセスインターバル（４０５）の第１の部分（４１１）で送信され、
少なくとも１つのページング信号（４００４、４００５）は、第１の帯域幅（４５１）とは異なるオープンスペクトル（４０９）の第２の帯域幅（４５２）を使用するチャネルアクセスインターバル（４０５）の第２の部分（４１２）で送信され、
第２の部分（４１２）は、第１の部分（４１１）の後に送信される。
【０１６２】
実施例１２．
上記の実施例の何れか１つの方法において、
少なくとも１つの同期信号バースト（１５０）は、オープンスペクトル（４０９）の第１の帯域幅（４５１）を使用して送信され、
当該方法は更に、
・オープンスペクトル（４０９）の更なる帯域幅（４５３）を使用して、少なくとも１つの更なる同期信号バースト（１５０Ａ）を端末（１０１）に送信することを含み、
更なる帯域幅（４５３）は、第１の帯域幅（４５１）よりも小さい。
【０１６３】
実施例１３．
上記の実施例の何れか１つの方法において、
少なくとも１つのページング信号（４００４、４００５）は、複数のページング信号（４００４、４００５）を含み、
複数のページング信号（４００４、４００５）は、周波数分割多重化および時分割多重化のうちの少なくとも１つを使用して送信される。
【０１６４】
実施例１４．
上記の実施例の何れか１つの方法において、
少なくとも１つのページング信号（４００４、４００５）は、ページングインジケータ（４００４）を含み、
少なくとも１つのページング信号（４００４、４００５）は、任意に、ページングインジケータ（４００４）に関連付けられて、ページングインジケータ（４００４）の後に送信されるページングメッセージ（４００５）を含む。
【０１６５】
実施例１５．
上記の実施例の何れか１つの方法において、
少なくとも１つの同期信号バースト（１５０）および少なくとも１つのページング信号（４００４、４００５）は、端末（１０１）の不連続受信サイクル（３７０）のタイミングスケジュール（３７５、３７５−１）に従って送信される。
【０１６６】
実施例１６．
上記の実施例の何れか１つの方法において、
少なくとも１つの同期信号バースト（１５０）および少なくとも１つのページング信号（４００４、４００５）は、隣接する時間−周波数リソースで送信される。
【０１６７】
実施例１７．
基地局（１１２）は制御回路（１１２１、１１２５）を具備し、この制御回路は、
・オープンスペクトル（４０９）の時間制限付きチャネルアクセスインターバル（４０５）において、少なくとも１つの同期信号バースト（１５０）を端末（１０１）に送信するように設定され、また
・オープンスペクトル（４０９）のチャネルアクセスインターバル（４０５）において、少なくとも１つのページング信号（４００４、４００５）を端末（１０１）に送信するように設定される。
【０１６８】
実施例１８．
実施例１７の基地局（１１２）において、
制御回路は、実施例１および実施例９〜１６の何れか１つの方法を実行するように設定される。
【０１６９】
実施例１９．
端末（１０１）は制御回路（１０１１、１０１５）を具備し、この制御回路は、
・オープンスペクトル（４０９）において少なくとも１つの同期信号バースト（１５０）についての第１の受信試行（４７１）を実施するように設定され、また
・オープンスペクトル（４０９）において少なくとも１つのページング信号（４００４、４００５）についての第２の受信試行（４７２）を実施するように設定され、
第１の受信試行（４７１）および第２の受信試行は、オープンスペクトル（４０９）の共通の時間制限されたチャネルアクセスインターバル（４０５）において実施される。
【０１７０】
実施例２０．
実施例１９の端末（１０１）において、
制御回路（１０１１、１０１５）は、実施例２〜１６の何れか１つの方法を実行するように設定される。
【０１７１】
本発明を特定の好ましい実施形態に関して示し、説明してきたが、明細書を読んで理解したとき、当業者には均等物および変更が思い浮かぶであろう。本発明は、そのような均等物および変更の全てを含み、添付の特許請求の範囲によってのみ制限されるものである。
【０１７２】
例示として、上記では、１つまたは複数のＳＳバーストおよび１つまたは複数のページング信号が、オープンスペクトルの共通のＭＣＯＴに連結される様々なシナリオが説明されてきた。幾つかのシナリオでは、ＵＥおよびＢＳ間の時間同期のために単一のＳＳを受信することで十分な場合がある。そのようなシナリオでは、技術を変更して、１つまたは複数のＳＳ信号および１つまたは複数のページング信号を共通のＭＣＯＴに連結することができる。
【０１７３】
更なる例示として、ＢＳによって送信された１つまたは複数のページング信号および１つまたは複数の基準信号を、オープンスペクトルの共通のＭＣＯＴに連結することが一般に可能である。ＳＳまたはＳＳバーストは、１つ以上の基準信号の１つの可能な実装であるが、他の実装では、他の種類およびタイプの基準信号を使用することができる。幾つかの基準信号は時間同期に適さないこともあるが、それらはページングの欠如とＢＳによる送信試行の失敗をＵＥが区別できるようにする可能性がある。
【０１７４】
更に別の例示としては、１つまたは複数のページング信号および１つまたは複数のＳＳバーストを共通のＭＣＯＴに連結することに関して様々な技術を説明したが、他の種類およびタイプの信号を、共通のＭＣＯＴに連結する場合にも同様の技術を容易に適用できる。例えば、１つ以上のＳＳバーストおよび１つ以上のネットワークアクセス信号を共通のＭＣＯＴに連結することが可能である。例えば、１つ以上のネットワークアクセス信号は、ＲＡプリアンブルまたはＲＡメッセージ２を含み得る。幾つかの例では、１つ以上のＳＳバーストおよび１つ以上のアプリケーションデータメッセージを、共通のＭＣＯＴに連結することさえ可能である。このような技術は、１つ以上の信号を共通のＭＣＯＴに連結することにより、ＬＢＴ障害による複数の送信試行の全体的な可能性が低減されるとの発見に基づくものである。
【０１７５】
更なる説明のために、上記では３ＧＰＰ  ＮＲ  ５Ｇネットワークの様々なシナリオを説明してきた。同様の技術は、他の種類およびタイプのネットワークにも容易に適用することができる。
【図１】
2021514161.tif 000002
【図２】
2021514161.tif 000003
【図３】
2021514161.tif 000004
【図４】
2021514161.tif 000005
【図５】
2021514161.tif 000006
【図６】
2021514161.tif 000007
【図７】
2021514161.tif 000008
【図８】
2021514161.tif 000009
【図９】
2021514161.tif 000010
【図１０】
2021514161.tif 000011
【図１１】
2021514161.tif 000012
【図１２】
2021514161.tif 000013
【図１３】
2021514161.tif 000014
【図１４】
2021514161.tif 000015
【図１５】
2021514161.tif 000016
【図１６】
2021514161.tif 000017
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
基地局を動作させる方法であって、
オープンスペクトルの時間制限されたチャネルアクセスインターバルにおいて、少なくとも１つの同期信号バーストを端末に送信することと、
オープンスペクトルのチャネルアクセスインターバルにおいて少なくとも１つのページング信号を前記端末に送信することを含む方法。
【請求項２】
端末を操作する方法であって、
オープンスペクトルにおいて少なくとも１つの同期信号バーストについての第１の受信試行を実施することと、
前記オープンスペクトルにおいて少なくとも１つのページング信号についての第２の受信試行を実施することを含み、
ここで、前記第１の受信試行および前記第２の受信試行は、前記オープンスペクトルの共通の時間制限されたチャネルアクセスインターバルにおいて実施される方法。
【請求項３】
更に、
前記第１の受信試行の第１の結果に応じて、前記少なくとも１つの同期信号バーストについての更なる第１の受信試行および少なくとも１つのページング信号についての更なる第２の受信試行のために、バックオフを選択的にアクティブ化することを含む請求項２に記載の方法。
【請求項４】
前記第１の受信試行および前記第２の受信試行は、前記端末の不連続受信サイクルのタイミングスケジュールに従って実施され、
前記方法は更に、
前記第１の結果に応じまた前記第２の結果に応じて、前記不連続受信サイクルのオフ期間を選択的にアクティブ化することを含む請求項３に記載の方法。
【請求項５】
少なくとも前記第１の受信試行が成功し、且つ前記第２の受信試行が失敗した場合に、前記オフ期間がアクティブ化される、請求項４に記載の方法。
【請求項６】
前記第１の受信試行が失敗した場合には、前記バックオフがアクティブ化され、
前記第１の受信試行が成功した場合には、前記バックオフはアクティブ化されない、請求項３〜５の何れか１項に記載の方法。
【請求項７】
前記バックオフがバックオフタイマーを起動することを含む、請求項３〜６の何れか１項に記載の方法。
【請求項８】
前記第１の受信試行および前記第２の受信試行は、前記端末の不連続受信サイクルのタイミングスケジュールに従って実施され、
前記バックオフは、前記不連続受信サイクルの更なるタイミングスケジュールをアクティブ化することを含み、前記不連続受信サイクルは前記タイミングスケジュールと比較してより短いオフ期間を含む、請求項３〜７の何れか１項に記載の方法。
【請求項９】
前記少なくとも１つの同期信号バーストは複数の同期信号バーストを含み、
前記複数の同期信号バーストは、周波数分割多重化を使用して送信される、請求項１〜８の何れか１項に記載の方法。
【請求項１０】
更に、
前記チャネルアクセスインターバルの持続時間を決定することと、
前記チャネルアクセスインターバルの持続時間の決定に基づいて、前記周波数分割多重化の周波数再利用係数を選択することを含む、請求項９に記載の方法。
【請求項１１】
前記少なくとも１つの同期信号バーストは、前記オープンスペクトルの第１の帯域幅を使用する前記チャネルアクセスインターバルの第１の部分で送信され、
前記少なくとも１つのページング信号は、前記第１の帯域幅とは異なる前記オープンスペクトルの第２の帯域幅を使用する前記チャネルアクセスインターバルの第２の部分で送信され、
前記第２の部分は、前記第１の部分の後に送信される、請求項１〜１０の何れか１項に記載の方法。
【請求項１２】
前記少なくとも１つの同期信号バーストは、前記オープンスペクトルの第１の帯域幅を使用して送信され、
当該方法は更に、
前記オープンスペクトルの更なる帯域幅を使用して、少なくとも１つの更なる同期信号バーストを前記端末に送信することを含み、
前記更なる帯域幅は、前記第１の帯域幅よりも小さい、請求項１〜１１の何れか１項に記載の方法。
【請求項１３】
前記少なくとも１つのページング信号は、複数のページング信号を含み、
前記複数のページング信号は、周波数分割多重化および時分割多重化のうちの少なくとも１つを使用して送信される、請求項１〜１２の何れか１項に記載の方法。
【請求項１４】
前記少なくとも１つのページング信号は、ページングインジケータを含み、
前記少なくとも１つのページング信号は、任意に、ページングインジケータに関連付けられ、且つ前記ページングインジケータの後に送信されるページングメッセージを含む、請求項１〜１３の何れか１項に記載の方法。
【請求項１５】
前記少なくとも１つの同期信号バーストおよび前記少なくとも１つのページング信号は、前記端末の不連続受信サイクルのタイミングスケジュールに従って送信される、請求項１〜１４の何れか１項に記載の方法。
【請求項１６】
前記少なくとも１つの同期信号バーストおよび前記少なくとも１つのページング信号は、隣接する時間−周波数リソースで送信される、請求項１〜１５の何れか１項に記載の方法。
【請求項１７】
制御回路を備えた基地局であって、前記制御回路は、
オープンスペクトルの時間制限付きチャネルアクセスインターバルにおいて、少なくとも１つの同期信号バーストを端末に送信し、
前記オープンスペクトルの前記チャネルアクセスインターバルにおいて、少なくとも１つのページング信号を前記端末に送信するように設定された、基地局。
【請求項１８】
前記制御回路は、請求項１および請求項９〜１６の何れか１つの前記方法を実行するように設定される、請求項１７に記載の基地局。
【請求項１９】
制御回路を含む端末であって、前記制御回路は、
オープンスペクトルにおいて少なくとも１つの同期信号バーストについての第１の受信試行を実施し、
前記オープンスペクトルにおいて少なくとも１つのページング信号についての第２の受信試行を実施するように設定され、
前記第１の受信試行および前記第２の受信試行は、前記オープンスペクトルの共通の時間制限されたチャネルアクセスインターバルにおいて実施される、端末。
【請求項２０】
前記制御回路は、請求項２〜１６の何れか１つの方法を実行するように設定される、請求項１９に記載の端末。
【国際調査報告】
2021514161.tif 000018
2021514161.tif 000019
2021514161.tif 000020